(57)【要約】【課題】被包装物を傷付けることなく、フィルムの破断操作を簡単に行うことができるフィルムオープナーを提供する。【解決手段】フィルムオープナー１０を構成する送り出しローラ１１が上部位置に配置されるとともに、巻き取りローラ１２が下部位置に配置され、送り出しローラ１１の外周に巻回された粘着テープ１３が巻き取りローラ１２に巻き取られる。送り出しローラ１１及び巻き取りローラ１２は、第１ローラ支持体１６及び第２ローラ支持体１７に支持されている。第１ローラ支持体１６及び第２ローラ支持体１７の外側方には、第１本体カバー２４及び第２本体カバー２５が、送り出しローラ１１及び巻き取りローラ１２を内部に収容した状態で連結される。第２本体カバー２５の下端部には、商品を包装するフィルムを破断するための針部材３２が突出されている。【選択図】図１
2017131417.tif 000002
【特許請求の範囲】
【請求項１】
本体カバー内には、被包装物を包装するフィルムに付着してそのフィルムを持ち上げる粘着部を有するローラを回転可能に支持するとともに、本体カバーには持ち上げられたフィルムを破断するための開封部材を備えるフィルムオープナー。
【請求項２】
前記本体カバー内には、ローラ支持体に支持された粘着部を構成する粘着テープの送り出しローラと、送り出された粘着テープを巻き取る巻き取りローラとを回転可能に支持するとともに、前記粘着テープは粘着面が被包装物のフィルムに対向するように巻き取りローラに巻き取られるとともに、開封部材は粘着テープによって持ち上げられたフィルムを破断するように構成されている請求項１に記載のフィルムオープナー。
【請求項３】
前記開封部材は、巻き取りローラの粘着テープとフィルムとの接触部より巻き取りローラの進行方向の後方に設けられている請求項２に記載のフィルムオープナー。
【請求項４】
前記開封部材は、商品のフィルムを破断する針部材である請求項２又は請求項３に記載のフィルムオープナー。
【請求項５】
前記送り出しローラの外周方には、送り出しローラに巻回された粘着テープを押える押圧ローラが配置されている請求項２から請求項４のいずれか１項に記載のフィルムオープナー。
【請求項６】
前記本体カバーとローラ支持体との間には付勢部材が係止され、ローラ支持体が押圧ローラ側へ付勢されている請求項５に記載のフィルムオープナー。
【請求項７】
前記付勢部材はコイルバネにより形成された押し上げバネである請求項６に記載のフィルムオープナー。
【請求項８】
前記フィルムは、タバコカートンを包装するフィルムである請求項１から請求項７のいずれか１項に記載のフィルムオープナー。
【発明の詳細な説明】
【技術分野】
【０００１】
本発明は、被包装物の表面に密着して被覆されたフィルムを、商品に傷を付けることなく簡易な操作で開封することができるフィルムオープナーに関する。
【背景技術】
【０００２】
被包装物としてのタバコカートンにおいては、それを包装するフィルムを剥がす箇所が設けられ、フィルムを短手方向に開封できるタイプのものが知られている。この場合、フィルムを剥がす箇所を破って開封することはできるが、フィルムの開封後に長手方向に並ぶタバコを取り出すことが難しい。このため、カッターナイフやはさみを使用してフィルムを長手方向に切断しなければならず、その場合にはタバコカートンに傷を付けてしまうおそれがある。そこで、被包装物としてのタバコカートンを傷付けることなく、フィルムを破断して開封するフィルムオープナーが求められる。
【０００３】
この種のフィルムオープナーとして、特許文献１にはフィルム包装物開封器が開示されている。このフィルム包装物開封器は、本体に切刃と接着テープを締結した構造を有し、テコの原理により包装フィルムと被包装物との間に間隙を生じさせ、切刃で破断して開封するものである。具体的には、本体と可動部がヒンジ部で連結されるとともに、本体の裏面には接着テープが貼着されている。可動部は、左右に突出した弾性を有する舌片部と、それら舌片部の中間に締結された切刃とを有している。
【０００４】
そして、ヒンジ部を支点にして可動部の舌片部を立ち上げ、テコの原理でフィルムを引き上げ、フィルムと内容物との間に間隙を形成する。続いて、可動部をさらに回転方向へ押し倒すと切刃がフィルムを突き破り、突破口となって全体を引き上げるとフィルムを破断でき、開封できる。
【先行技術文献】
【特許文献】
【０００５】
【特許文献１】特開２００４−２３６８１５号公報
【発明の概要】
【発明が解決しようとする課題】
【０００６】
前記特許文献１に記載されている従来構成のフィルム包装物開封器では、本体裏面の接着テープをフィルムに指で押圧して貼り付けた後、可動部を把持して持ち上げ、舌片部を起こしてフィルムを引き上げなければならない。続いて、可動部を回転方向へ押し倒して切刃が引き上げられたフィルムを破るように操作しなければならない。
【０００７】
そのため、このフィルム包装物開封器では、指による可動部の操作や切刃によるフィルムの破断操作が煩雑で、慣れを必要とするとともに、手間を要するものであった。加えて、フィルムの別の箇所を破断して開封する場合には、本体の接着テープを一旦フィルムから剥がし、その接着テープをフィルムの別の箇所に貼り付けて同様の操作を行う必要があり、面倒であった。
【０００８】
本発明は、このような従来技術に存在する問題点に着目してなされたものであり、その目的とするところは、被包装物を傷付けることなく、フィルムの破断操作を簡単に行うことができるフィルムオープナーを提供することにある。
【課題を解決するための手段】
【０００９】
上記の目的を達成するために、本発明のフィルムオープナーは、本体カバー内には、被包装物を包装するフィルムに付着してそのフィルムを持ち上げる粘着部を有するローラを回転可能に支持するとともに、本体カバーには持ち上げられたフィルムを破断するための開封部材を備えるものである。
【００１０】
前記本体カバー内には、ローラ支持体に支持された粘着部を構成する粘着テープの送り出しローラと、送り出された粘着テープを巻き取る巻き取りローラとを回転可能に支持するとともに、前記粘着テープは粘着面が被包装物のフィルムに対向するように巻き取りローラに巻き取られるとともに、開封部材は粘着テープによって持ち上げられたフィルムを破断するように構成されていることが好ましい。
【００１１】
前記開封部材は、巻き取りローラの粘着テープとフィルムとの接触部より巻き取りローラの進行方向の後方に設けられていることが好ましい。
前記開封部材は、商品のフィルムを破断する針部材であることが好ましい。
【００１２】
前記送り出しローラの外周方には、送り出しローラに巻回された粘着テープを押える押圧ローラが配置されていることが好ましい。
前記本体カバーとローラ支持体との間には付勢部材が係止され、ローラ支持体が押圧ローラ側へ付勢されていることが好ましい。
【００１３】
前記付勢部材はコイルバネにより形成された押し上げバネであることが好ましい。
前記フィルムは、タバコカートンを包装するフィルムであることが好ましい。
【発明の効果】
【００１４】
この発明のフィルムオープナーによれば、被包装物を傷付けることなく、フィルムの破断操作を簡単に行うことができるという効果を奏する。
【図面の簡単な説明】
【００１５】
【図１】実施形態におけるフィルムオープナーを示す分解斜視図。
【図２】フィルムオープナーの一方の本体カバーとローラ支持体を取り外した状態を示す正面図。
【図３】フィルムオープナーの一方の本体カバーとローラ支持体を取り外した状態を示す分解斜視図。
【図４】フィルムオープナーの作用を示す概略説明図。
【図５】タバコカートンを包装するフィルム上にフィルムオープナーを載せてフィルムを破断する状態を示す斜視図。
【発明を実施するための形態】
【００１６】
以下、本発明の実施形態を図面に基づいて詳細に説明する。
図１に示すように、フィルムオープナー１０を構成する送り出しローラ１１が上部位置に配置されるとともに、巻き取りローラ１２が下部位置に配置され、送り出しローラ１１の外周に巻回された粘着部を構成する粘着テープ１３が巻き取りローラ１２に巻き取られるように構成されている。
【００１７】
図４に示すように、前記送り出しローラ１１においては粘着テープ１３の粘着面１３ａが内側にして巻回され、巻き取りローラ１２においては粘着テープ１３の粘着面１３ａが外側になるように巻回される。すなわち、巻き取りローラ１２の回転により巻き取られた粘着テープ１３の粘着面１３ａが被包装物（商品）としてのタバコカートン１４を包装するフィルム１５に対向する。そして、巻き取りローラ１２が図４の矢印に示す右方向へ転動して巻き取りローラ１２が矢印方向（時計方向）へ回転したとき粘着テープ１３がフィルム１５に付着（粘着）してフィルム１５を持ち上げるようになっている。
【００１８】
図１に示すように、前記送り出しローラ１１及び巻き取りローラ１２は、対向配置される第１ローラ支持体１６及び第２ローラ支持体１７により回転可能に支持されている。第１ローラ支持体１６は、支持板１８の内側面に上下一対の上部第１ローラ支持筒１９及び下部第１ローラ支持筒２０が突設されて構成されている。前記送り出しローラ１１の内径は上部第１ローラ支持筒１９の外径より十分に大きく設定され、送り出しローラ１１には上部第１ローラ支持筒１９が遊嵌される。
【００１９】
前記巻き取りローラ１２の内径は下部第１ローラ支持筒２０の外径より十分に大きく設定され、巻き取りローラ１２には下部第１ローラ支持筒２０が遊嵌される。前記第２ローラ支持体１７は、支持板２１の内側面に上下一対の上部第２ローラ支持筒２２及び下部第２ローラ支持筒２３が突設されて構成されている。上部第２ローラ支持筒２２は上部第１ローラ支持筒１９に嵌合され、下部第２ローラ支持筒２３は下部第１ローラ支持筒２０に嵌合される。
【００２０】
前記第１ローラ支持体１６の外側方には第１本体カバー２４が配置されるとともに、第２ローラ支持体１７の外側方には第２本体カバー２５が配置される。それらの第１本体カバー２４と第２本体カバー２５が内部に送り出しローラ１１、巻き取りローラ１２、第１ローラ支持体１６、第２ローラ支持体１７等を収容した状態で連結される。
【００２１】
前記送り出しローラ１１の上方位置（外周方）には一対の押圧ローラ２６が第１本体カバー２４と第２本体カバー２５間に回転可能に支持され、送り出しローラ１１に巻回された粘着テープ１３を上から押圧する。
【００２２】
図１〜図３に示すように、前記第１ローラ支持体１６の支持板１８の上部第１ローラ支持筒１９の部分には、左右一対をなす縦長のスリット２７が透設され、第１本体カバー２４から突出する係止爪２８が上下動可能に挿通、係止されている。この構成により、第１ローラ支持体１６が第１本体カバー２４に対し、上下動可能な状態で抜け止めされている。
【００２３】
前記第１ローラ支持体１６の支持板１８の下部第１ローラ支持筒２０の部分には下部係止孔２９が開口されるとともに、第１本体カバー２４の中央部には上部係止孔３０が開口されている。そして、これら上部係止孔３０と下部係止孔２９との間に押し上げバネ（コイルバネ）３１が伸張状態で係止され、第１ローラ支持体１６が押し上げられるように構成されている。
【００２４】
すなわち、図２に示すように、第１ローラ支持体１６の上部第１ローラ支持筒１９の上端外周部が送り出しローラ１１の上端内周部を押し上げるようになっている。このとき、送り出しローラ１１の粘着テープ１３が一対の押圧ローラ２６に押圧される。このため、送り出しローラ１１と押圧ローラ２６との間に位置する粘着テープ１３の弛みが抑えられる。
【００２５】
同時に、図２の二点鎖線に示すように、第１ローラ支持体１６の下部第１ローラ支持筒２０の上端外周部が巻き取りローラ１２の上端内周部を押し上げるようになっている。そして、図２の実線に示すように、フィルムオープナー１０の使用時には、巻き取りローラ１２の粘着テープ１３が図４及び図５に示すタバコカートン１４を包装するフィルム１５に押し付けられたとき、巻き取りローラ１２は上動する。このとき、巻き取りローラ１２の下端内周部が下部第１ローラ支持筒２０の下端外周部に当接する。
【００２６】
図１及び図２に示すように、前記第２本体カバー２５の下端部には、開封部材としての針部材３２が巻き取りローラ１２の接線方向の下方に向かうように取付けられている。この針部材３２は先端ほど細く形成され、フィルム１５に刺さって破りやすくなっている。ここで、前記巻き取りローラ１２には下部第１ローラ支持筒２０が遊嵌されていることから、巻き取りローラ１２に粘着テープ１３が巻き取られてその径が大きくなっても巻き取りローラ１２の軸の移動が可能であり、針部材３２と粘着テープ１３の粘着面１３ａとの距離を適切に保つことができる。
【００２７】
図４に示すように、針部材３２は巻き取りローラ１２の粘着テープ１３とフィルム１５との接触部３３より巻き取りローラ１２の進行方向の後方に設けられている。そして、巻き取りローラ１２の粘着テープ１３に付着して持ち上げられたフィルム１５の持ち上げ部１５ａに孔を開けて破るように構成されている。
【００２８】
次に、以上のように構成されたフィルムオープナー１０について作用を説明する。
さて、図５に示すように、タバコカートン１４を包装するフィルム１５を破って開封する場合には、フィルムオープナー１０をフィルム１５で包装されたタバコカートン１４上に載せ、その長手方向に移動させる。
【００２９】
このとき、図４に示すように、送り出しローラ１１から巻き取りローラ１２に巻き取られた粘着テープ１３の粘着面１３ａがフィルム１５に付着し、粘着テープ１３はフィルム１５に付着した状態で巻き取りローラ１２の外周面に沿って回転する。そのため、粘着テープ１３に付着したフィルム１５は巻き取りローラ１２の外周面に沿って持ち上げられ、フィルム１５の持ち上げ部１５ａが形成される。そして、巻き取りローラ１２の粘着テープ１３とフィルム１５との接触部３３より後方に位置する針部材３２が、フィルム１５の持ち上げ部１５ａを刺して破ることができる。
【００３０】
引き続き、フィルムオープナー１０をタバコカートン１４の長手方向にさらに移動させると、針部材３２はフィルム１５の持ち上げ部１５ａを刺した状態で保持され、フィルム１５を連続的に破ることができる。
【００３１】
このため、図５に示すように、タバコカートン１４を包装するフィルム１５に直線状の破断線３４を形成することができる。従って、フィルム１５をタバコカートン１４の長手方向に速やかに開封することができ、長手方向に並ぶ複数のタバコ箱を簡単に、短時間で取り出すことができる。前記送り出しローラ１１には粘着テープ１３が十分に巻回されているため、一度に多くのタバコカートン１４のフィルム１５を開封することができる。
【００３２】
以上の実施形態により発揮される効果について、以下にまとめて説明する。
（１）この実施形態のフィルムオープナー１０では、本体カバー２４、２５内にローラ支持体１６、１７に支持された粘着テープ１３の送り出しローラ１１と巻き取りローラ１２とを備えるとともに、本体カバー２５にはタバコカートン１４のフィルム１５を破断する開封部材を備えている。
【００３３】
このため、フィルムオープナー１０の使用時には、巻き取りローラ１２に巻き取られた粘着テープ１３がタバコカートン１４を包装するフィルム１５に付着し、その付着により持ち上げられたフィルム１５が破断される。従って、フィルムオープナー１０をフィルム１５上で移動させるだけで、自動的にフィルム１５を開封することができる。その結果、被包装物が細長いものや大型のものであっても迅速に開封することができる。
【００３４】
よって、この実施形態のフィルムオープナー１０によれば、タバコカートン１４を傷付けることなく、フィルム１５の破断操作を簡単に行うことができる。
（２）前記開封部材は、巻き取りローラ１２の粘着テープ１３とフィルム１５との接触部３３より巻き取りローラ１２の進行方向の後方に設けられている。そのため、持ち上げられたフィルム１５の持ち上げ部１５ａを開封部材で容易に破断することができる。
【００３５】
（３）前記開封部材は、タバコカートン１４のフィルム１５を破る針部材３２である。このため、持ち上げられたフィルム１５の持ち上げ部１５ａを針部材３２で容易に突き破ることができる。
【００３６】
（４）前記送り出しローラ１１の外周方には、送り出しローラ１１に巻回された粘着テープ１３を押える一対の押圧ローラ２６が配置されている。従って、送り出しローラ１１に巻回された粘着テープ１３を、弛みが生じることなく、安定した状態で保持することができ、フィルムオープナー１０を円滑に使用できる。
【００３７】
（５）前記第１本体カバー２４と第１ローラ支持体１６との間には付勢部材が係止され、第１ローラ支持体１６が押圧ローラ２６側へ付勢されている。このため、第１ローラ支持体１６により、送り出しローラ１１に巻回された粘着テープ１３を押圧ローラ２６に押圧することができ、その粘着テープ１３を一層強く押圧して保持することができる。
【００３８】
（６）前記付勢部材はコイルバネにより形成された押し上げバネ３１である。そのため、簡易な構成で、押圧ローラ２６に対する粘着テープ１３の押圧力を高めることができる。
【００３９】
（７）前記フィルム１５は、タバコカートン１４を包装するフィルム１５である。従って、長四角箱状のタバコカートン１４を包装するフィルム１５を簡単に破断して、容易に開封することができる。
【００４０】
（８）前記送り出しローラ１１及び巻き取りローラ１２は、それらの両側から第１ローラ支持体１６と第２ローラ支持体１７により支持されている。このため、第１本体カバー２４と第２本体カバー２５の連結を解き、第１ローラ支持体１６と第２ローラ支持体１７を両側方へ離間することにより、送り出しローラ１１及び巻き取りローラ１２を速やかに抜き出すことができ、粘着テープ１３の交換を容易に行うことができる。
【００４１】
なお、前記実施形態を次のように変更して具体化することも可能である。
・前記実施形態における送り出しローラ１１及び巻き取りローラ１２に代えて、外周面に粘着部を構成する粘着層を有するローラを第１本体カバー２４と第２本体カバー２５との間に回転可能に支持するとともに、第２本体カバー２５には針部材３２を備えるように構成してもよい。この構成によれば、ローラの粘着層にフィルムが付着し、ローラの回転に伴ってフィルムの持ち上げ部１５ａが形成され、その持ち上げ部１５ａを針部材３２で破ることができる。
【００４２】
なお、上記ローラ自体を、外周面に粘着性を有する材料で構成してもよい。
・前記実施形態の構成に加えて、押し上げバネ３１を第２ローラ支持体１７と第２本体カバー２５との間にも設けてもよい。或いは、実施形態の押し上げバネ３１の構成に代えて、押し上げバネ３１を第２ローラ支持体１７と第２本体カバー２５との間にも設けてもよい。この場合には、支持板２１にスリット２７を設けるとともに、そのスリット２７に第２本体カバー２５から突出する係止爪２８を係止させる。
【００４３】
・前記開封部材として、切刃状のもの、鋸刃状のもの等を使用してもよい。
・前記針部材３２を第１本体カバー２４の下端部に設けてもよい。
・前記押圧ローラ２６を、１つ又は３つ以上設けてもよい。
【００４４】
・前記被包装物としては、菓子類のカートン、薬類のカートン、ＣＤディスクのケース、ＤＶＤディスクのケース等であってもよい。
・前記付勢部材としては、竹の子バネ等の他種類のバネ、ゴム状弾性体等であってもよい。
【符号の説明】
【００４５】
１０…フィルムオープナー、１１…送り出しローラ、１２…巻き取りローラ、１３…粘着部を構成する粘着テープ、１４…被包装物としてのタバコカートン、１５…フィルム、１５ａ…持ち上げ部、１６…第１ローラ支持体、１７…第２ローラ支持体、２４…第１本体カバー、２５…第２本体カバー、２６…押圧ローラ、３１…付勢部材としての押し上げバネ、３２…開封部材としての針部材。
【図１】
2017131417.tif 000003
【図２】
2017131417.tif 000004
【図３】
2017131417.tif 000005
【図４】
2017131417.tif 000006
【図５】
2017131417.tif 000007